(57)【要約】  本発明の実施例は、通信の技術分野に関し、ＰＤＣＣＨに対するＵＥの周期的なブラインド検出によるＵＥの消費電力の増大の問題を解決することができるページング指示方法、装置及びシステムを開示している。具体的な解決手段は、ＵＥが、ＵＥによるページングメッセージ検出の検出パラメータを指示する指示情報をネットワーク側機器から受信し、該検出パラメータはＵＥによるページングメッセージ検出の検出方式を決定するために用いられ、該検出パラメータに基づいて、検出方式を決定することである。本発明の実施例は、ＵＥによるページングメッセージ検出の検出方式を決定するプロセスに適用される。【選択図】  図２
2021530914.tif 000002
【特許請求の範囲】
【請求項１】
ＵＥ（Ｕｓｅｒ  Ｅｑｕｉｐｍｅｎｔ）に適用されるページング指示方法であって、
前記ＵＥによるページングメッセージ検出の検出パラメータを指示する指示情報をネットワーク側機器から受信することと、
前記検出パラメータに基づいて、前記検出方式を決定することとを含み、
前記検出パラメータは、前記ＵＥによるページングメッセージの検出の検出方式を決定するために用いられる、ページング指示方法。
【請求項２】
前記検出パラメータは、ページングオケージョンで前記ＵＥが前記ページングメッセージを検出するか否かを含み、前記ページングオケージョンは、前記ＵＥが前記指示情報を受信した後の少なくとも１つの検出周期である第１の検出周期内で前記ＵＥは前記ページングメッセージを検出する時刻である、請求項１に記載のページング指示方法。
【請求項３】
前記検出パラメータは、
前記ページングオケージョンでＰＤＳＣＨ（Ｐｈｙｓｉｃａｌ  Ｄｏｗｎｌｉｎｋ  Ｓｈａｒｅｄ  Ｃｈａｎｎｅｌ）を送信するか否か、前記ページングメッセージを送信するＰＤＳＣＨの時間領域リソーススケジューリング方式、基準信号活性化情報、システム情報又は警報情報の更新指示、前記ページングメッセージを送信するリソース、及び前記ページングメッセージの制御チャネル送信パラメータ、のうちの少なくとも１つをさらに含む、請求項２に記載のページング指示方法。
【請求項４】
前記ページングメッセージを送信する前記リソースは、前記ページングメッセージを送信するＢＷＰ（Ｂａｎｄｗｉｄｔｈ  Ｐａｒｔ）である、請求項３に記載のページング指示方法。
【請求項５】
前記制御チャネル送信パラメータは、前記ネットワーク側機器が前記ページングメッセージを送信する制御チャネルのアグリゲーションレベルであるアグリゲーションレベルと、前記ネットワーク側機器が制御チャネルを送信する先頭の制御チャネルエレメントの番号である物理リソース情報と、のうちの少なくとも１つを含み、前記制御チャネルエレメントは、前記ネットワーク側機器が前記ページングメッセージを送信する制御チャネル中の制御チャネルエレメントである、請求項３に記載のページング指示方法。
【請求項６】
前記ページングメッセージを送信する前記ＰＤＳＣＨの時間領域リソーススケジューリング方式は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を送信した後にＰＤＳＣＨを送信すること、及びＰＤＣＣＨの送信完了時刻である第１の時刻とＰＤＣＣＨによって指示されるＰＤＳＣＨの送信開始時刻である第２の時刻との時間間隔が第１の閾値より大きいか否かということである、請求項３に記載のページング指示方法。
【請求項７】
前記ＵＥが前記指示情報を受信する時刻である第３の時刻と前記ページングオケージョンとの間の時間間隔は、通信プロトコルにおいて予め定義されたものか、或いは前記ネットワーク側機器によって前記ＵＥに対して設定されたものである、請求項２〜６のいずれか１項に記載のページング指示方法。
【請求項８】
前記の指示情報をネットワーク側機器から受信することは、
前記ネットワーク側機器から、前記指示情報を含む制御情報を受信することと、
前記制御情報から前記指示情報を取得することとを含む、請求項１に記載のページング指示方法。
【請求項９】
前記の指示情報をネットワーク側機器から受信することは、
前記ＵＥが在圏するセルの制御チャネルの共通サーチスペースで、前記ネットワーク側機器から前記指示情報を受信することを含む、請求項１又は８に記載のページング指示方法。
【請求項１０】
ネットワーク側機器に適用されるページング指示方法であって、
ＵＥによるページングメッセージの検出の検出パラメータを指示する指示情報を前記ＵＥへ送信することを含み、
前記検出パラメータは、前記ＵＥによるページングメッセージ検出の検出方式を決定するために用いられる、ページング指示方法。
【請求項１１】
前記検出パラメータは、ページングオケージョンで前記ＵＥが前記ページングメッセージを検出するか否かを含み、前記ページングオケージョンは、前記ＵＥが前記指示情報を受信した後の少なくとも１つの検出周期である第１の検出周期内で前記ＵＥは前記ページングメッセージを検出する時刻である、請求項１０に記載のページング指示方法。
【請求項１２】
前記検出パラメータは、
前記ページングオケージョンでＰＤＳＣＨを送信するか否か、前記ページングメッセージを送信するＰＤＳＣＨの時間領域リソーススケジューリング方式、基準信号活性化情報、システム情報又は警報情報の更新指示、前記ページングメッセージを送信するリソース、及び前記ページングメッセージの制御チャネル送信パラメータ、のうちの少なくとも１つをさらに含む、請求項１１に記載のページング指示方法。
【請求項１３】
前記ページングメッセージを送信する前記リソースは、前記ページングメッセージを送信するＢＷＰである、請求項１２に記載のページング指示方法。
【請求項１４】
前記制御チャネル送信パラメータは、前記ネットワーク側機器が前記ページングメッセージを送信する制御チャネルのアグリゲーションレベルであるアグリゲーションレベルと、前記ネットワーク側機器が制御チャネルを送信する先頭の制御チャネルエレメントの番号である物理リソース情報と、のうちの少なくとも１つを含み、前記制御チャネルエレメントは、前記ネットワーク側機器が前記ページングメッセージを送信する制御チャネル中の制御チャネルエレメントである、請求項１２に記載のページング指示方法。
【請求項１５】
前記ネットワーク側機器が前記ページングメッセージを送信するＰＤＳＣＨの時間領域リソーススケジューリング方式は、ＰＤＣＣＨを送信した後にＰＤＳＣＨを送信すること、及びＰＤＣＣＨの送信完了時刻である第１の時刻とＰＤＣＣＨによって指示されるＰＤＳＣＨの送信開始時刻である第２の時刻との時間間隔が第１の閾値より大きいか否かということである、請求項１２に記載のページング指示方法。
【請求項１６】
前記ＵＥが前記指示情報を受信する時刻である第３の時刻と前記ページングオケージョンとの間の時間間隔は、通信プロトコルにおいて予め定義されたものか、或いは前記ネットワーク側機器によって前記ＵＥに対して設定されたものである、
請求項１１〜１５のいずれか１項に記載のページング指示方法。
【請求項１７】
前記の指示情報をＵＥへ送信することは、
前記指示情報を含む制御情報を前記ＵＥへ送信することを含む、請求項１０に記載のページング指示方法。
【請求項１８】
前記の指示情報をＵＥへ送信することは、
制御チャネルの共通サーチスペースで、前記指示情報を前記ＵＥへ送信することを含む、請求項１０又は１７に記載のページング指示方法。
【請求項１９】
ＵＥであって、
前記ＵＥによるページングメッセージ検出の検出パラメータを指示する指示情報をネットワーク側機器から受信するための受信ユニットと、
前記検出パラメータに基づいて、前記検出方式を決定するための決定ユニットとを含み、
前記検出パラメータは、前記ＵＥによるページングメッセージ検出の検出方式を決定するために用いられる、ＵＥ。
【請求項２０】
ＵＥによるページングメッセージ検出の検出パラメータを指示する指示情報を前記ＵＥへ送信するための送信ユニットを含み、
前記検出パラメータは、前記ＵＥによるページングメッセージ検出の検出方式を決定するために用いられる、ネットワーク側機器。
【請求項２１】
プロセッサと、メモリと、前記メモリ上に記憶され、前記プロセッサ上で動作可能なコンピュータプログラムとを含むＵＥであって、
前記コンピュータプログラムは前記プロセッサによって実行されると、請求項１〜９のいずれか１項に記載のページング指示方法を実現する、ＵＥ。
【請求項２２】
プロセッサと、メモリと、前記メモリ上に記憶され、前記プロセッサ上で動作可能なコンピュータプログラムとを含むネットワーク側機器であって、
前記コンピュータプログラムは前記プロセッサによって実行されると、請求項１０〜１８のいずれか１項に記載のページング指示方法を実現する、ネットワーク側機器。
【請求項２３】
請求項１９に記載のＵＥ及び請求項２０に記載のネットワーク側機器を含む、或いは、
請求項２１に記載のＵＥ及び請求項２２に記載のネットワーク側機器を含む、通信システム。
【発明の詳細な説明】
【技術分野】
【０００１】
本願は、２０１８年７月１６日に中国特許庁に提出され、出願番号が２０１８１０７７８３７８．２であり、発明名称が「ページング指示方法、装置及びシステム」である中国特許出願の優先権を主張するものであり、その全ての内容は参照により本願に組み込まれるものとする。
本発明の実施例は、通信の技術分野に関し、特にページング指示方法、装置及びシステムに関する。
【背景技術】
【０００２】
通信システムにおいて、アイドル状態（Ｉｄｌｅ）にあるＵＥ（Ｕｓｅｒ  Ｅｑｕｉｐｍｅｎｔ）は、予め設定された時間内にＰＤＣＣＨ（Ｐｈｙｓｉｃａｌ  Ｄｏｗｎｌｉｎｋ  Ｃｏｎｔｒｏｌ  Ｃｈａｎｎｅｌ）のブラインド検出により、基地局からＵＥへページングメッセージを送信したか否かを決定することができる。
【０００３】
具体的には、ＵＥは、ＰＤＣＣＨをブラインド検出することができ、ページングＰＤＣＣＨが検出されると、引き続き該ページングＰＤＣＣＨによって指示されるＰＤＳＣＨ（Ｐｈｙｓｉｃａｌ  Ｄｏｗｎｌｉｎｋ  Ｓｈａｒｅｄ  Ｃｈａｎｎｅｌ）を検出して、該ＰＤＳＣＨにおいて該ＵＥのページングメッセージを含むか否かを決定することができる。一般的に、ＵＥは、ＰＤＣＣＨを周期的にブラインド検出するが、周期毎で該ＵＥのページングメッセージが該ＵＥにより検出され得るわけではないため、ＰＤＣＣＨに対するＵＥの周期的なブラインド検出によりＵＥの消費電力が大きくなる。
【発明の概要】
【発明が解決しようとする課題】
【０００４】
本発明の実施例は、ＰＤＣＣＨに対するＵＥの周期的なブラインド検出によるＵＥの消費電力の増大の問題を解決するために、ページング指示方法、装置及びシステムを提供する。
【課題を解決するための手段】
【０００５】
上記技術的課題を解決するために、本発明の実施例は、以下の技術的解決手段を用いる。
【０００６】
第１の態様では、本発明の実施例に係る、ＵＥに適用されるページング指示方法は、ＵＥによるページングメッセージ検出の検出パラメータを指示する指示情報をネットワーク側機器から受信することと、
該検出パラメータに基づいて、検出方式を決定することとを含み、
該検出パラメータは、ＵＥによるページングメッセージ検出の検出方式を決定するために用いられる。
【０００７】
第２の態様では、本発明の実施例に係る、ネットワーク側機器に適用されるページング指示方法は、ＵＥによるページングメッセージ検出の検出パラメータを指示する指示情報を前記ＵＥへ送信することを含み、該検出パラメータは、ＵＥによるページングメッセージ検出の検出方式を決定するために用いられる。
【０００８】
第３の態様では、本発明の実施例に係るＵＥは、ＵＥによるページングメッセージ検出の検出パラメータを指示する指示情報をネットワーク側機器から受信するための受信ユニットと、
該検出パラメータに基づいて、検出方式を決定するための決定ユニットとを含み、
該検出パラメータは、ＵＥによるページングメッセージ検出の検出方式を決定するために用いられる。
【０００９】
第４の態様では、本発明の実施例に係るネットワーク側機器は、ＵＥによるページングメッセージ検出の検出パラメータを指示する指示情報をＵＥへ送信するための送信ユニットを含み、該検出パラメータは、ＵＥによるページングメッセージ検出の検出方式を決定するために用いられる。
【００１０】
第５の態様では、本発明の実施例に係るＵＥは、プロセッサと、メモリと、該メモリ上に記憶され、該プロセッサ上で動作可能なコンピュータプログラムとを含み、該コンピュータプログラムは、該プロセッサによって実行されると上記第１の態様におけるページング指示方法を実現する。
【００１１】
第６の態様では、本発明の実施例に係るネットワーク側機器は、プロセッサと、メモリと、該メモリ上に記憶され、該プロセッサ上で動作可能なコンピュータプログラムとを含み、該コンピュータプログラムは、該プロセッサによって実行されると上記第２の態様におけるページング指示方法を実現する。
【００１２】
第７の態様では、本発明の実施例に係る通信システムは、上記第３の態様におけるＵＥ及び上記第４の態様におけるネットワーク側機器を含み、或いは、上記第５の態様におけるＵＥ及び上記第６の態様におけるネットワーク側機器を含む。
【００１３】
第８の態様では、本発明の実施例に係るコンピュータ読み取り可能な記憶媒体は、プロセッサによって実行されると上記第１の態様又は第２の態様におけるページング指示方法を実現するコンピュータプログラムを記憶している。
【発明の効果】
【００１４】
本発明の実施例では、ＵＥは、ネットワーク側機器から指示情報（該指示情報は、ＵＥによるページングメッセージ検出の検出パラメータを指示する）を受信し、かつ該検出パラメータに基づいて、検出方式を決定することができる。ＵＥは、ページングメッセージ検出又はページングメッセージ検出方式の決定を周期的に行う必要がなく、ネットワーク側機器から送信された指示情報によって指示される、ＵＥによるページングメッセージ検出の検出パラメータに基づいて、ＵＥによるページングメッセージ検出の検出方式を決定することができるため、ＵＥによるページングメッセージ検出の検出回数を減らし、ページングメッセージ検出の検出方式を最適化し、ＵＥによるページングメッセージ検出の際の消費電力を低減することができる。
【図面の簡単な説明】
【００１５】
【図１】本発明の実施例に係る通信システムのアーキテクチャの概略図である。
【図２】本発明の実施例に係るページング指示方法の概略図その１である。
【図３】本発明の実施例に係る時間領域リソーススケジューリング方式の実例の概略図である。
【図４】本発明の実施例に係るページング指示方法の概略図その２である。
【図５】本発明の実施例に係るページング指示方法の概略図その３である。
【図６】本発明の実施例に係るＵＥの概略構成図である。
【図７】本発明の実施例に係るネットワーク側機器の概略構成図である。
【図８】本発明の実施例に係るＵＥのハードウェアの概略図である。
【図９】本発明の実施例に係るネットワーク側機器のハードウェアの概略図である。
【発明を実施するための形態】
【００１６】
以下、本発明の実施例における図面を参照しながら、本発明の実施例における技術手段を明確かつ完全的に説明する。明らかに、説明される実施例は、本発明の実施例の全てではなく、一部である。本発明の実施例に基づいて、当業者が創造的な労働をしない前提で得られる他の全ての実施例は、いずれも本願の保護範囲に属するものである。
【００１７】
本発明の実施例の明細書及び特許請求の範囲における用語「第１」、「第２」などは、対象の特定の順序を説明するためのものではなく、異なる対象を区別するためのものである。例えば、第１の時刻と第２の時刻などは、異なる時刻を区別するためのものであり、時刻の特定の順序を説明するためのものではない。本発明の実施例の説明において、特に言及がない限り、「複数」とは、２つ又は２つ以上を意味する。
【００１８】
本明細書における「及び／又は」という用語は、関連対象について説明する関連関係であり、３つの関係が存在し得ることを表し、例えば、Ａ及び／又はＢは、単にＡが存在、Ａ及びＢが同時に存在、単にＢが存在という３つの場合を表すことができる。本明細書における「／」という符号は、関連対象が「又は」の関係であることを表し、例えば、Ａ／Ｂは、Ａ又はＢを表す。
【００１９】
本発明の実施例では、「例示的」又は「例えば」などの用語は、例、例証又は例示の働きをすることを意味するものである。本発明の実施例では、「例示的」又は「例えば」として説明されるいかなる実施例又は設計案も、他の実施例又は設計案よりも好ましい又は有利であると解釈すべきではない。むしろ、使用される「例示的」又は「例えば」などの用語は、具体的な方式で関連する概念を提示することを目的とする。
【００２０】
以下、本発明の実施例に係るページング指示方法、装置及びシステムに関するいくつかの概念及び／又は用語を解説する。
【００２１】
ＢＷＰ（Ｂａｎｄｗｉｄｔｈ  Ｐａｒｔ）：基地局によってサービスが提供されるセルは、比較的に大きな帯域幅（以下、大帯域幅という）をサポートするが、ＵＥは、複数の比較的に小さな帯域幅部分（以下、小帯域幅部分という）で動作可能であり、該大帯域幅のうちのＵＥが動作可能な小帯域幅部分は、ＢＷＰと呼ばれる。
【００２２】
本発明の実施例に係るページング指示方法、装置及びシステムでは、ＵＥは、ネットワーク側機器から指示情報（該指示情報は、ＵＥによるページングメッセージ検出の検出パラメータを指示する）を受信し、かつ該検出パラメータに基づいて、検出方式を決定することができる。ＵＥは、ページングメッセージ検出又はページングメッセージ検出方式の決定を周期的に行う必要がなく、ネットワーク側機器から送信された指示情報が示す、ＵＥによるページングメッセージ検出の検出パラメータに基づいて、ページングメッセージの検出方式をＵＥが決定することができるため、ＵＥによるページングメッセージ検出の検出回数を減らし、ページングメッセージ検出の検出方式を最適化し、ＵＥによるページングメッセージ検出の際の消費電力を低減することができる。
【００２３】
本発明の実施例に係るページング指示方法、装置及びシステムは、通信システムに適用することができる。具体的には、該通信システムに基づいて、ＵＥがネットワーク側機器から送信された指示情報に基づいて、ページングメッセージ検出の検出方式を決定するプロセスに適用することができる。
【００２４】
例示的には、図１は、本発明の実施例に係る通信システムのアーキテクチャの概略図を示す。図１に示すとおり、該通信システムは、ＵＥ０１とネットワーク側機器（例えば、基地局０２）を含んでもよい。ＵＥ０１と基地局０２の間には、接続を確立することができる。
【００２５】
なお、本発明の実施例では、上記図１に示すＵＥ０１と基地局０２との接続は、無線接続であってもよい。ＵＥ０１と基地局０２の接続関係をより明確に示すために、図１は、ＵＥ０１と基地局０２の接続関係を実線で示す。
【００２６】
ＵＥは、ユーザに音声及び／又はデータ接続性を提供する機器、有線／無線接続機能を有するハンドヘルド式機器、又は無線モデムに接続される他の処理機器である。ＵＥは、ＲＡＮ（Ｒａｄｉｏ  Ａｃｃｅｓｓ  Ｎｅｔｗｏｒｋ）を介して１つ以上のコアネットワーク機器と通信することができる。ＵＥは、携帯電話（又は「セルラー」電話という）などの携帯端末、及び携帯端末を有するコンピュータであってもよく、ＲＡＮと言語及び／又はデータを交換する携帯式、ポケット式、ハンドヘルド式、コンピュータ内蔵又は車載の携帯装置、例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話、ＷＬＬ（Ｗｉｒｅｌｅｓｓ  Ｌｏｃａｌ  Ｌｏｏｐ）局、及びＰＤＡ（Ｐｅｒｓｏｎａｌ  Ｄｉｇｉｔａｌ  Ａｓｓｉｓｔａｎｔ）などの機器であってもよい。ＵＥは、ユーザエージェント（Ｕｓｅｒ  Ａｇｅｎｔ）又は端末機器などと呼ばれてもよい。
【００２７】
基地局は、ＲＡＮに配置されてＵＥに無線通信機能を提供する装置である。基地局は、様々な形態のマクロ基地局、マイクロ基地局、中継局、アクセスポイントなどを含んでもよい。異なる無線アクセス技術を用いるシステムにおいて、基地局の機能を有する機器の名称は、異なる可能性があり、例えば、第３世代移動通信（３Ｇ）ネットワークにおいて、基地局（Ｎｏｄｅ  Ｂ）と呼ばれ、ＬＴＥ（Ｌｏｎｇ  Ｔｅｒｍ  Ｅｖｏｌｕｔｉｏｎ）システムにおいて、発展型基地局（ｅｖｏｌｖｅｄ  ＮｏｄｅＢ、ｅＮＢ又はｅＮｏｄｅＢ）と呼ばれ、第５世代移動通信（５Ｇ）ネットワークにおいて、ｇＮＢなどと呼ばれる。通信技術の発展に伴い、「基地局」という名称が変化する可能性がある。
【００２８】
以下、図面を参照しながら、具体的な実施例及びその適用シーンにより本発明の実施例に係るページング指示方法、装置及びシステムを詳細に説明する。
【００２９】
現在、従来技術において、ＵＥは、ＰＤＣＣＨを周期的にブラインド検出するが、周期毎で該ＵＥのページングメッセージが該ＵＥにより検出され得るわけではないため、ＰＤＣＣＨに対するＵＥの周期的なブラインド検出によりＵＥの消費電力が大きくなる。
【００３０】
上記技術的課題を解決するために、本発明の実施例は、ページング指示方法を提供し、以下、ＵＥとネットワーク側機器との間のインタラクションを例として、本発明の実施例に係るページング指示方法を例示的に説明する。
【００３１】
図１に示す通信システムに基づいて、本発明の実施例に係るページング指示方法は、図２に示すとおり、以下のステップ２０１及び２０２を含んでもよい。
【００３２】
ステップ２０１では、ネットワーク側機器は、指示情報をＵＥへ送信する。
【００３３】
本発明の実施例では、上記指示情報は、ＵＥによるページングメッセージ検出の検出パラメータを指示し、検出パラメータは、ＵＥによるページングメッセージ検出の検出方式を決定するために用いられる。
【００３４】
選択的には、本発明の実施例では、上記検出パラメータは、ＵＥがページングオケージョン（Ｐａｇｉｎｇ  Ｏｃｃａｓｉｏｎ、ＰＯ）でページングメッセージを検出するか否かを含んでもよい。該ページングオケージョンは、ＵＥが指示情報を受信した後の少なくとも１つの検出周期である第１の検出周期内にページングメッセージを検出する時刻である。
【００３５】
理解できるように、本発明の実施例では、指示情報が、ページングオケージョンでページングメッセージを検出するようＵＥに指示する場合、ＵＥによるページングメッセージ検出の検出方式は、ＵＥがページングオケージョンでページングＰＤＣＣＨを検出することであってもよい。
【００３６】
選択的には、本発明の実施例では、上記検出パラメータは、ネットワーク側機器がページングオケージョンでＰＤＳＣＨを検出し送信するか否か、ネットワーク側機器がページングメッセージを送信するＰＤＳＣＨの時間領域リソーススケジューリング方式、ネットワーク側機器の基準信号活性化情報、ネットワーク側機器によるシステム情報又は警報情報の更新指示、ネットワーク側機器がページングメッセージを送信するリソース、及びネットワーク側機器のページングメッセージの制御チャネル送信パラメータ、のうちの少なくとも１つを含んでもよい。
【００３７】
選択的には、本発明の実施例では、上記検出パラメータは、ＵＥがページングオケージョンでＰＤＳＣＨを検出するか否か、ＵＥが受信するページングメッセージのＰＤＳＣＨの時間領域リソーススケジューリング方式、ＵＥが受信するネットワーク側機器の基準信号活性化情報、ＵＥが受信するネットワーク側機器によるシステム情報又は警報情報の更新指示、ＵＥがページングメッセージを検出するリソース、及びＵＥがページングメッセージを検出する制御チャネル検出パラメータ、のうちの少なくとも１つを含んでもよい。
【００３８】
選択的には、本発明の実施例では、上記ネットワーク側機器がページングメッセージを送信するＰＤＳＣＨの時間領域リソーススケジューリング方式は、ＰＤＣＣＨを送信した後にＰＤＳＣＨを送信すること、及び、ＰＤＣＣＨの送信完了時刻である第１の時刻とＰＤＣＣＨによって指示されるＰＤＳＣＨの送信開始時刻である第２の時刻との時間間隔が第１の閾値より大きいか否かということであってもよい。
【００３９】
選択的には、本発明の実施例では、上記ネットワーク側機器の基準信号活性化情報は、ネットワーク側機器が基準信号を活性化するか否か、またネットワーク側機器に複数の選択可能な基準信号が設定されている場合、どの基準信号の設定を活性化したか、例えば、ネットワーク側機器がＣＳＩ  -  ＲＳ（Ｃｈａｎｎｅｌ  Ｓｔａｔｅ  Ｉｎｆｏｒｍａｔｉｏｎ  -  Ｒｅｆｅｒｅｎｃｅ  Ｓｉｇｎａｌ）の設定又はトラッキング基準信号ＴＲＳ（Ｔｒａｃｋｉｎｇ  Ｒｅｆｅｒｅｎｃｅ  Ｓｉｇｎａｌｓ）の設定を活性化したことを指示することを含んでもよい。
【００４０】
本発明の実施例では、上記ネットワーク側機器によるシステム情報又は警報情報の更新指示は、ネットワーク側機器がＵＥに、ネットワーク側機器がシステム情報又は警報情報を更新したことを指示したこととして理解することができる。
【００４１】
なお、本発明の実施例では、ページングＰＤＣＣＨにもシステム情報又は警報情報の更新指示が含まれているため、ＵＥは、新たなＰＤＣＣＨにおいて該システム情報又は警告情報の更新指示を受信した後、ページングＰＤＣＣＨにおけるシステム情報更新の指示を無視してもよい。
【００４２】
選択的には、本発明の実施例では、上記ネットワーク側機器がページングメッセージを送信するリソースは、ネットワーク側機器がページングメッセージを送信するＢＷＰであってもよい。
【００４３】
選択的には、本発明の実施例では、上記ＵＥがページングメッセージを検出するリソースは、ＵＥがページングメッセージを検出するＢＷＰであってもよい。
【００４４】
なお、本発明の実施例では、異なるＢＷＰ上の制御リソースセット（Ｃｏｎｔｒｏｌ  Ｒｅｓｏｕｒｃｅ  Ｓｅｔ、ＣＯＲＥＳＥＴ）は、異なるＣＯＲＥＳＥＴ識別子に対応し、複数のＢＷＰが設定されている場合、複数の異なるＣＯＲＥＳＥＴ識別子を複数の異なるＢＷＰに対応するように直接設定してもよい。
【００４５】
選択的には、本発明の実施例では、上記制御チャネル送信パラメータは、ネットワーク側機器がページング制御チャネルを送信する制御チャネルのアグリゲーションレベルであるアグリゲーションレベルと、ネットワーク側機器が制御チャネルを送信する先頭の制御チャネルエレメントの番号である物理リソース情報と、のうちの少なくとも１つを含んでもよく、該制御チャネルエレメントは、ネットワーク側機器がページングメッセージを送信する制御チャネル中の制御チャネルエレメントである。
【００４６】
選択的には、本発明の実施例では、上記制御チャネル検出パラメータは、ＵＥが受信するネットワーク側機器からページング制御チャネルを送信する制御チャネルのアグリゲーションレベルであるアグリゲーションレベルと、ＵＥが制御チャネルを検出する先頭の制御チャネルエレメントの番号である物理リソース情報と、のうちの少なくとも１つを含んでもよく、該制御チャネルエレメントは、ＵＥがページングメッセージを検出する制御チャネル中の制御チャネルエレメントである。
【００４７】
理解できるように、１つの制御チャネル（例えば、ＰＤＣＣＨ）を構成するＣＣＥ（Ｃｏｎｔｒｏｌ  Ｃｈａｎｎｅｌ  Ｅｌｅｍｅｎｔ）の数は、一般的に、アグリゲーションレベル（ａｇｇｒｅｇａｔｉｏｎ  ｌｅｖｅｌ）と呼ばれ、例えば、アグリゲーションレベルは、４、８又は１６個のＣＣＥであってもよい。
【００４８】
それに応じて、ＵＥはネットワーク機器から送信される指示情報を受信する。
【００４９】
選択的には、本発明の実施例では、ＵＥが指示情報を受信する時刻である第３の時刻とＵＥが指示情報を受信した後の少なくとも１つの検出周期である第１の検出周期内でページングメッセージを検出する時刻であるページングオケージョンとの間の時間間隔は、通信プロトコルにおいて予め定義されたものであり、或いはネットワーク側機器によって前記ＵＥに対して設定されたものである。
【００５０】
ステップ２０２では、ＵＥは、指示情報によって指示される検出パラメータに基づいて、検出方式を決定する。
【００５１】
選択的には、本発明の実施例では、検出パラメータがＵＥがページングオケージョンでページングメッセージを検出することを含む場合、ＵＥは、ページングオケージョンでページングＰＤＣＣＨを検出し、そうでなければ、ページングＰＤＣＣＨを検出しない（即ち、ＵＥは、スリープ状態にある）。
【００５２】
１つの可能な実現形態では、アイドル状態（ｉｄｌｅ）のＵＥは、ページングＰＤＣＣＨを検出する前、ネットワーク側機器から送信した指示情報を受信する場合、ページングオケージョンでページングＰＤＣＣＨを検出し、そうでなければ、ページングＰＤＣＣＨを検出しない（即ち、ＵＥはスリープ状態を継続する）。
【００５３】
なお、ページングメッセージは、システム情報更新の指示、又は、ＵＥをページングすることに用いられるが、システム情報更新の指示は、ページングＰＤＣＣＨで伝送され、ＵＥをページングする情報は、ページングＰＤＣＣＨによって指示されるＰＤＳＣＨで伝送される。ページングメッセージがシステム情報更新の指示に用いられ、ＵＥをページングしない場合、ページングメッセージを伝送する際に、ＰＤＣＣＨのみを検出してもよく、該ＰＤＣＣＨによって指示されるＰＤＳＣＨを検出する必要がない。ＰＤＣＣＨによって指示されるＰＤＳＣＨの検出が必要であれば、ＵＥは、ＰＤＳＣＨのバッファ（Ｂｕｆｆｅｒ）を予約してＰＤＳＣＨを記憶する必要がある。
【００５４】
選択的には、本発明の実施例では、検出パラメータがＵＥがページングオケージョンでページングメッセージを検出することと、ＵＥがページングオケージョンでＰＤＳＣＨを検出する必要がないこととを含む場合、検出方式は、ＵＥがページングオケージョンでページングＰＤＣＣＨを検出し、かつページングオケージョンでＰＤＳＣＨを検出しないことであり、このように、ＵＥは、ページングメッセージを検出する際に、ＰＤＳＣＨのバッファ（Ｂｕｆｆｅｒ）を予約せず、かつＰＤＣＣＨ以外の他の信号に対して受信、サンプリングなどの信号処理を行わない。
【００５５】
本発明の実施例では、ＵＥは、検出方式がページングオケージョンでＰＤＳＣＨを検出しないと決定した場合、ＰＤＳＣＨのバッファを予約せず、かつＰＤＣＣＨ以外の他の信号に対して受信、サンプリングなどの信号処理を行わないため、ＵＥの消費電力を低減することができる。
【００５６】
理解できるように、本発明の実施例では、ＵＥは、ネットワーク側機器がページングメッセージを送信するＰＤＳＣＨの時間領域リソーススケジューリング方式に基づいて、ＵＥがページングメッセージを検出する検出方式を、ＰＤＣＣＨを検出した後にＰＤＳＣＨを検出することに決定することができる。
【００５７】
例示的には、図３の（１）に示すとおり、ネットワーク側機器がページングメッセージを送信するＰＤＳＣＨの時間領域リソーススケジューリング方式は、ＰＤＣＣＨとＰＤＳＣＨを交互に送信することであり（例えば、まず、ビーム１１に対応するＰＤＣＣＨを送信し、次に、該ビーム１１に対応するＰＤＣＣＨによって指示されるＰＤＳＣＨを送信し、このように類推する）、この場合、第１の時刻（例えば、ビーム１１に対応するＰＤＣＣＨの送信を完了する時刻）と第２の時刻（例えば、ビーム１１に対応するＰＤＣＣＨによって指示されるＰＤＳＣＨの送信を開始する時刻）との間の時間間隔は、０であり（すなわち、該時間間隔は、第１の閾値より小さい）、図３の（２）に示すとおり、ネットワーク側機器がページングメッセージを送信するＰＤＳＣＨの時間領域リソーススケジューリング方式は、ＰＤＣＣＨを送信した後にＰＤＳＣＨを送信することであり（例えば、まず、それぞれビーム１１、ビーム１２及びビーム１３に対応するＰＤＣＣＨを送信し、次に、該ビーム１１、ビーム１２及びビーム１３それぞれに対応するＰＤＣＣＨによって指示されるＰＤＳＣＨを送信）、この場合、第１の時刻（例えば、ビーム１１に対応するＰＤＣＣＨの送信を完了する時刻）と第２の時刻（例えば、ビーム１１に対応するＰＤＣＣＨによって指示されるＰＤＳＣＨの送信を開始する時刻）との間の時間間隔ｔは、第１の閾値より大きい。
【００５８】
図３の（１）及び（２）から分かるように、ネットワーク側機器がページングメッセージを送信するＰＤＳＣＨの時間領域リソーススケジューリング方式がＰＤＣＣＨを送信した後にＰＤＳＣＨを送信することである場合、第１の時刻と第２の時刻との間の時間間隔が大きく（即ち、第１の時刻と第２の時刻との時間間隔ｔは、第１の閾値より大きい）、ＵＥは、ネットワーク側機器がページングメッセージを送信するＰＤＳＣＨの時間領域リソーススケジューリング方式（図３の（２）に示す方式）に基づいて、ＰＤＣＣＨを検出した後でも、該ＰＤＣＣＨによって指示されるＰＤＳＣＨを受信するためにどの程度のバッファを予約するかを決定することに十分な時間を有し、該ＰＤＣＣＨによって指示されるＰＤＳＣＨを受信するためにバッファを事前予約する必要がない。このように、ＵＥが不要なバッファ領域を事前予約することを回避できるため、ＵＥの消費電力を低減することができる。
【００５９】
選択的には、本発明の実施例では、ＵＥは、ネットワーク側機器の基準信号活性化情報に基づいて、対応する基準信号の受信を行い、受信した基準信号に基づいて時間周波数同期を行うことができ、ＵＥは、時間周波数同期が完了した後、ページングＰＤＣＣＨ又はＰＤＳＣＨを検出する性能を向上させることができ、或いは、該活性化された基準信号に基づいてＲＲＭ（Ｒａｄｉｏ  Ｒｅｓｏｕｒｃｅ  Ｍａｎａｇｅｍｅｎｔ）測定を行うことができる。
【００６０】
選択的には、本発明の実施例では、ページングメッセージは、複数のＢＷＰで伝送可能であり、ＵＥは、ＵＥがページングメッセージを検出するＢＷＰに応じて、対応するＢＷＰに切り替えてページングメッセージを検出してもよく、このように、ＵＥによるページングメッセージの検出の検出回数を減らし、ＵＥの消費電力を低減することができる。
【００６１】
選択的には、本発明の実施例では、ＵＥは、ＵＥがページングメッセージを検出する制御チャネル検出パラメータに基づいてページングメッセージを検出する際、ＵＥによるＰＤＣＣＨのブラインド検出の検出回数を減らし、ＵＥの消費電力を低減することができる。
【００６２】
本発明の実施例に係るページング指示方法では、ＵＥは、ネットワーク側機器から指示情報（該指示情報は、ＵＥによるページングメッセージ検出の検出パラメータを指示する）を受信し、かつ該検出パラメータに基づいて、検出方式を決定することができる。ＵＥは、ページングメッセージ検出又はページングメッセージ検出方式の決定を周期的に行う必要がなく、ネットワーク側機器から送信された指示情報によって指示される、ＵＥによるページングメッセージ検出の検出パラメータに基づいて、ＵＥによるページングメッセージ検出の検出方式を決定することができるため、ＵＥによるページングメッセージ検出の検出回数を減らし、ページングメッセージ検出の検出方式を最適化し、ＵＥによるページングメッセージ検出の際の消費電力を低減することができる。
【００６３】
選択的には、本発明の実施例では、図２と合わせて図４に示すとおり、上記ステップ２０１は、具体的に、以下のステップ２０１ａにより実現することができる。
【００６４】
ステップ２０１ａでは、ネットワーク側機器は、指示情報を含む制御情報をＵＥへ送信する。
【００６５】
選択的には、本発明の実施例では、ネットワーク側機器は、制御情報を含むＰＤＣＣＨをＵＥへ送信することができる。
【００６６】
選択的には、本発明の実施例では、上記制御情報は、ＰＤＣＣＨにおけるＤＣＩ（Ｄｏｗｎｌｉｎｋ  Ｃｏｎｔｒｏｌ  Ｉｎｆｏｒｍａｔｉｏｎ）であってもよい。
【００６７】
選択的には、本発明の実施例では、新たなＰ−ＲＮＴＩ（Ｐａｇｉｎｇ−Ｒａｄｉｏ  Ｎｅｔｗｏｒｋ  Ｔｅｍｐｏｒａｒｙ  Ｉｄｅｎｔｉｆｉｅｒ）を用いて制御情報をスクランブルすることができる。
【００６８】
なお、本発明の実施例では、上記新たなＰ−ＲＮＴＩと従来のＰ−ＲＮＴＩ（例えば、ＮＲ  Ｒ１５のＲＮＴＩ）のビットシーケンスは異なる。例示的には、新たなＰ−ＲＮＴＩは、ＰＩ−ＲＮＴＩ（ｐａｇｉｎｇ  ｉｎｄｉｃａｔｏｒ  ＲＮＴＩ）又はＰ−ＲＮＴＩ２であってもよい。
【００６９】
選択的には、本発明の実施例では、上記ＵＥがネットワーク側機器によって送信される指示情報を受信する方法は、ＵＥがネットワーク側機器から制御情報を受信し、かつ該制御情報から指示情報を取得することであってもよい。
【００７０】
選択的には、本発明の実施例では、図２と合わせて図５に示すとおり、上記ステップ２０１は、具体的に、以下のステップ２０１ｂにより実現することができる。
【００７１】
ステップ２０１ｂでは、ネットワーク側機器は、制御チャネルの共通サーチスペースで、指示情報をＵＥへ送信する。
【００７２】
選択的には、本発明の実施例では、上記ＵＥがネットワーク側機器によって送信される指示情報を受信する方法は、ＵＥが、ＵＥの在圏するセルの制御チャネルの共通サーチスペースで、ネットワーク側機器から指示情報を受信することである。
【００７３】
本発明の実施例では、ＵＥは、ネットワーク側機器から送信される制御情報から指示情報を取得し、或いはＵＥの在圏するセルの制御チャネルの共通サーチスペースでネットワーク側機器から指示情報を受信することができ、このように、ＵＥは、該指示情報によって指示される検出パラメータに基づいて、検出方式を決定することができる。
【００７４】
図６は、本発明の実施例に係るＵＥの１つの可能な概略構成図を示す。図６に示すとおり、本発明の実施例に係るＵＥ６０は、受信ユニット６１及び決定ユニット６２を含んでもよい。
【００７５】
受信ユニット６１は、ＵＥによるページングメッセージ検出の検出パラメータを指示する指示情報をネットワーク側機器から受信し、該検出パラメータは、ＵＥによるページングメッセージ検出の検出方式を決定するために用いられる。決定ユニット６２は、受信ユニット６１が受信した指示情報によって指示される検出パラメータに基づいて、検出方式を決定する。
【００７６】
１つの可能な実現形態では、上記検出パラメータは、ページングオケージョンで前記ＵＥがページングメッセージを検出するか否かを含んでもよく、前記ページングオケージョンは、ＵＥが指示情報を受信した後の少なくとも１つの検出周期である第１の検出周期内でＵＥはページングメッセージを検出する時刻である。
【００７７】
１つの可能な実現形態では、上記検出パラメータは、ページングオケージョンでＰＤＳＣＨを送信するか否か、ページングメッセージを送信するＰＤＳＣＨの時間領域リソーススケジューリング方式、基準信号活性化情報、システム情報又は警報情報の更新指示、ページングメッセージを送信するリソース、及びページングメッセージの制御チャネル送信パラメータ、のうちの少なくとも１つをさらに含んでもよい。
【００７８】
１つの可能な実現形態では、上記ページングメッセージを送信するリソースは、ページングメッセージを送信するＢＷＰであってもよい。
【００７９】
１つの可能な実現形態では、上記制御チャネル送信パラメータは、ネットワーク側機器がページングメッセージを送信する制御チャネルのアグリゲーションレベルであるアグリゲーションレベルと、ネットワーク側機器が制御チャネルを送信する先頭の制御チャネルエレメントの番号である物理リソース情報と、のうちの少なくとも１つを含んでもよく、該制御チャネルエレメントは、ネットワーク側機器がページングメッセージを送信する制御チャネル中の制御チャネルエレメントである。
【００８０】
１つの可能な実現形態では、ページングメッセージを送信する上記ＰＤＳＣＨの時間領域リソーススケジューリング方式は、ＰＤＣＣＨを送信した後にＰＤＳＣＨを送信すること、及び、ＰＤＣＣＨの送信完了時刻である第１の時刻とＰＤＣＣＨによって指示されるＰＤＳＣＨの送信開始時刻である第２の時刻との時間間隔が第１の閾値より大きいか否かということであってもよい。
【００８１】
１つの可能な実現形態では、ＵＥが指示情報を受信する時刻である第３の時刻とページングオケージョンとの間の時間間隔は、通信プロトコルにおいて予め定義されたものか、或いはネットワーク側機器によってＵＥに対して設定されたものである。
【００８２】
１つの可能な実現形態では、上記受信ユニット６１は、具体的に、ネットワーク側機器から指示情報を含む制御情報を受信し、かつ該制御情報から指示情報を取得する。
【００８３】
１つの可能な実現形態では、上記受信ユニット６１は、具体的に、ＵＥの在圏するセルの制御チャネルの共通サーチスペースで、ネットワーク側機器から指示情報を受信する。
【００８４】
本発明の実施例に係るＵＥは、上記方法の実施例におけるＵＥによって実現される各プロセスを実現することができ、重複を避けるために、ここでは説明を省略する。
【００８５】
本発明の実施例に係るＵＥは、ネットワーク側機器から指示情報（該指示情報は、ＵＥによるページングメッセージ検出の検出パラメータを指示する）を受信し、かつ該検出パラメータに基づいて、検出方式を決定することができる。ＵＥは、ページングメッセージ検出又はページングメッセージ検出方式の決定を周期的に行う必要がなく、ネットワーク側機器から送信された指示情報によって指示される、ＵＥによるページングメッセージ検出の検出パラメータに基づいて、ＵＥによるページングメッセージ検出の検出方式を決定することができるため、ＵＥによるページングメッセージ検出の検出回数を減らし、ページングメッセージ検出の検出方式を最適化し、ＵＥによるページングメッセージ検出の際の消費電力を低減することができる。
【００８６】
図７は、本発明の実施例に係るネットワーク側機器の１つの可能な概略構成図を示す。図７に示すとおり、本発明の実施例に係るネットワーク側機器７０は、ＵＥによるページングメッセージ検出の検出パラメータを指示する指示情報をＵＥへ送信するための送信ユニット７１を含んでもよく、該検出パラメータは、ＵＥによるページングメッセージ検出の検出方式を決定するために用いられる。
【００８７】
１つの可能な実現形態では、上記検出パラメータは、ページングオケージョンでＰＤＣＣＨを検出するか否かを含んでもよく、該ページングオケージョンは、ＵＥが指示情報を受信した後の少なくとも１つの検出周期である第１の検出周期内でＵＥがページングメッセージを検出する時刻である。
【００８８】
１つの可能な実現形態では、上記検出パラメータは、ページングオケージョンでＰＤＳＣＨを送信するか否か、ページングメッセージを送信するＰＤＳＣＨの時間領域リソーススケジューリング方式、基準信号活性化情報、システム情報又は警報情報の更新指示、ページングメッセージを送信するリソース、及びページングメッセージの制御チャネル送信パラメータ、のうちの少なくとも１つをさらに含む。
【００８９】
１つの可能な実現形態では、上記ページングメッセージを送信するリソースは、ページングメッセージを送信するＢＷＰであってもよい。
【００９０】
１つの可能な実現形態では、上記制御チャネル検出パラメータは、ネットワーク側機器がページングメッセージを送信する制御チャネルのアグリゲーションレベルであるアグリゲーションレベルと、ネットワーク側機器が制御チャネルを送信する先頭の制御チャネルエレメントの番号である物理リソース情報と、のうちの少なくとも１つを含んでもよく、該制御チャネルエレメントは、ネットワーク側機器がページングメッセージを送信する制御チャネル中の制御チャネルエレメントである。
【００９１】
１つの可能な実現形態では、ページングメッセージを送信する上記ＰＤＳＣＨの時間領域リソーススケジューリング方式は、ＰＤＣＣＨを送信した後にＰＤＳＣＨを送信すること、ＰＤＣＣＨの送信完了時刻である第１の時刻とＰＤＣＣＨによって指示されるＰＤＳＣＨの送信開始時刻である第２の時刻との時間間隔が第１の閾値より大きいか否かということであってもよい。
【００９２】
１つの可能な実現形態では、ＵＥが指示情報を受信する時刻である第３の時刻とページングオケージョンとの間の時間間隔は、通信プロトコルにおいて予め定義されたものか、或いはネットワーク側機器によってＵＥに対して設定されたものである。
【００９３】
１つの可能な実現形態では、上記送信ユニット７１は、具体的に、指示情報を含む制御情報をＵＥへ送信する。
【００９４】
１つの可能な実現形態では、上記送信ユニット７１は、具体的に、制御チャネルの共通サーチスペースで指示情報をＵＥへ送信する。
【００９５】
本発明の実施例に係るネットワーク側機器は、上記方法の実施例におけるネットワーク側機器によって実現される各プロセスを実現することができ、重複を避けるために、ここでは説明を省略する。
【００９６】
本発明の実施例に係るネットワーク側機器は、ＵＥによるページングメッセージ検出の検出パラメータを指示する指示情報をＵＥへ送信することができ、該検出パラメータは、ＵＥによるページングメッセージ検出の検出方式を決定するために用いられる。ＵＥは、ページングメッセージ検出又はページングメッセージ検出方式の決定を周期的に行う必要がなく、ネットワーク側機器から送信された指示情報によって指示される、ＵＥによるページングメッセージ検出の検出パラメータに基づいて、ＵＥによるページングメッセージ検出の検出方式を決定することができるため、ＵＥによるページングメッセージ検出の検出回数を減らし、ページングメッセージ検出の検出方式を最適化し、ＵＥによるページングメッセージ検出の際の消費電力を低減することができる。
【００９７】
図８は、本発明の実施例に係るＵＥのハードウェア概略図を示す。図８に示すとおり、該ＵＥ１１０は、無線周波数ユニット１１１、ネットワークモジュール１１２、オーディオ出力ユニット１１３、入力ユニット１１４、センサ１１５、表示ユニット１１６、ユーザ入力ユニット１１７、インタフェースユニット１１８、メモリ１１９、プロセッサ１２０及び電源１２１などの部品を含むが、これらに限定されない。
【００９８】
なお、当業者が理解できるように、図８に示すＵＥの構造は、ＵＥを限定するものではなく、ＵＥは、図８の図示より多い又は少ない部品を含んでもよく、ある部品を組み合わせたり、異なる部品配置を有したりしてもよい。例示的に、本発明の実施例では、ＵＥは、携帯電話、タブレットコンピュータ、ノートパソコン、パームトップコンピュータ、車載端末、ウェアラブルデバイス及び歩数計などを含むが、これらに限定されない。
【００９９】
プロセッサ１２０は、ＵＥによるページングメッセージ検出の検出パラメータを指示する指示情報をネットワーク側機器から受信し、該検出パラメータは、ＵＥによるページングメッセージ検出の検出方式を決定するために用いられ、該検出パラメータに基づいて、検出方式を決定することができる。
【０１００】
本発明の実施例に係るＵＥは、ネットワーク側機器から指示情報（該指示情報は、ＵＥによるページングメッセージ検出の検出パラメータを指示する）を受信し、かつ該検出パラメータに基づいて、検出方式を決定することができる。ＵＥは、ページングメッセージ検出又はページングメッセージ検出方式の決定を周期的に行う必要がなく、ネットワーク側機器から送信された指示情報によって指示される、ＵＥによるページングメッセージ検出の検出パラメータに基づいて、ＵＥによるページングメッセージ検出の検出方式を決定することができるため、ＵＥによるページングメッセージ検出の検出回数を低減し、ページングメッセージ検出の検出方式を最適化し、ＵＥによるページングメッセージ検出の際の消費電力を低減することができる。
【０１０１】
本発明の実施例では、無線周波数ユニット１１１は、情報の送受信中又は通話中の信号の送受信に適用可能であり、具体的には、基地局からのダウンリンクデータを受信した後、プロセッサ１２０に処理させ、また、アップリンクデータを基地局に送信するということを理解されたい。一般的に、無線周波数ユニット１１１は、アンテナ、少なくとも１つの増幅器、トランシーバ、カプラ、低雑音増幅器、デュプレクサなどを含むが、これらに限定されない。また、無線周波数ユニット１１１は、さらに無線通信システムによりネットワーク及び他の機器と通信することができる。
【０１０２】
ＵＥは、ネットワークモジュール１１２によりユーザに無線のブロードバンドインターネットアクセスを提供して、ユーザの電子メールの送受信、ウェブの閲覧及びストリーミングメディアのアクセスなどを助ける。
【０１０３】
オーディオ出力ユニット１１３は、無線周波数ユニット１１１又はネットワークモジュール１１２によって受信されるか又はメモリ１１９に記憶されるオーディオデータをオーディオ信号に変換して音声として出力することができる。また、オーディオ出力ユニット１１３は、さらに、ＵＥ１１０によって実行される特定の機能に関連するオーディオ出力（例えば、着信音、メッセージ着信音など）を提供することができる。オーディオ出力ユニット１１３は、スピーカー、ブザー及びレシーバーなどを含む。
【０１０４】
入力ユニット１１４は、オーディオ又はビデオ信号を受信する。入力ユニット１１４は、ＧＰＵ（Ｇｒａｐｈｉｃｓ  Ｐｒｏｃｅｓｓｉｎｇ  Ｕｎｉｔ）１１４１及びマイクロフォン１１４２を含んでもよく、グラフィックプロセッサ１１４１は、動画撮影モード又は撮影モードで撮影装置（例えば、カメラ）によって取得された静止画像又はビデオの画像データを処理する。処理後の画像フレームは、表示ユニット１１６に表示することができる。グラフィック処理ユニット１１４１によって処理された画像フレームは、メモリ１１９（又は他の記憶媒体）に記憶されてもよく、無線周波数ユニット１１１又は、ネットワークモジュール１１２によって送信されてもよい。マイクロフォン１１４２は、音声を受信し、かつこのような音をオーディオデータに処理することができる。処理後のオーディオデータは、電話通話モードで無線周波数ユニット１１１によって移動通信基地局に送信可能なフォーマットに変換されて出力することができる。
【０１０５】
ＵＥ１１０は、光センサ、動きセンサ及び他のセンサなどの少なくとも１種のセンサ１１５をさらに含む。具体的には、光センサは、環境光線の明るさに応じて表示パネル１１６１の輝度を調節することができる環境光センサと、ＵＥ１１０が耳元に移動するときに、表示パネル１１６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、ＵＥ姿勢の識別（例えば、縦向き／横向きの切替、ゲーム関連、磁力計の姿勢較正）、振動識別に関連する機能（例えば、歩数計、タッピング）などに用いられてもよく、センサ１１５は、指紋センサ、圧力センサ、虹彩センサ、分子センサ、ジャイロスコープ、気圧計、湿度計、温度計、赤外線センサなどをさらに含んでもよく、ここでは説明を省略する。
【０１０６】
表示ユニット１１６は、ユーザにより入力された情報又はユーザに提供する情報を表示する。表示ユニット１１６は、表示パネル１１６１を含んでもよく、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などの形態で表示パネル１１６１を構成することができる。
【０１０７】
ユーザ入力ユニット１１７は、入力された数字又は文字情報を受信すると共に、ＵＥのユーザ設定及び機能制御に関連するキー信号入力を生成することができる。具体的には、ユーザ入力ユニット１１７は、タッチパネル１１７１及び他の入力装置１１７２を含む。タッチパネル１１７１は、タッチスクリーンとも呼ばれ、その上又はその近くでのユーザのタッチ操作（例えば、指、スタイラスペンなどの任意の適切な物体又は付属品を用いるタッチパネル１１７１上又はタッチパネル１１７１の近くでのユーザの操作）を収集することができる。タッチパネル１１７１は、タッチ検出装置及びタッチコントローラの２つの部品を含んでもよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ１２０に送信し、プロセッサ１２０から送信されたコマンドを受信し、実行する。また、抵抗式、容量式、赤外線式及び表面弾性波式などの複数のタイプでタッチパネル１１７１を実現することができる。タッチパネル１１７１に加えて、ユーザ入力ユニット１１７は、他の入力機器１１７２をさらに含んでもよい。具体的には、他の入力機器１１７２は、物理キーボード、機能キー（例えば、ボリューム調節キー、スイッチキーなど）、トラックボール、マウス及び操作レバーを含み得るが、これらに限定されず、ここでは説明を省略する。
【０１０８】
さらに、タッチパネル１１７１、表示パネル１１６１をカバーすることができ、タッチパネル１１７１がその上又はその近くでのタッチ操作を検出した後、プロセッサ１２０に伝送してタッチイベントのタイプを決定し、その後にプロセッサ１２０は、タッチイベントのタイプに応じて対応する視覚的出力を表示パネル１１６１に提供する。図８において、タッチパネル１１７１と表示パネル１１６１は、２つの独立した部品としてＵＥの入出力機能を実現するが、いくつかの実施例では、タッチパネル１１７１と表示パネル１１６１を一体化してＵＥの入出力機能を実現することができ、ここでは具体的に限定しない。
【０１０９】
インタフェースユニット１１８は、外部装置とＵＥ１１０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでもよい。インタフェースユニット１１８は、外部装置からの入力（例えば、データ情報、電力など）を受信すると共に、受信された入力をＵＥ１１０内の１つ以上の素子に伝送するか又はＵＥ１１０と外部装置との間にデータを伝送する。
【０１１０】
メモリ１１９は、ソフトウェアプログラム及び様々なデータを記憶することができる。メモリ１１９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでもよい。また、メモリ１１９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【０１１１】
プロセッサ１２０は、ＵＥの制御センターであり、様々なインタフェースと回線によりＵＥ全体の各部分に接続され、メモリ１１９に記憶されているソフトウェアプログラム及び／又はモジュールを動作させるか又は実行し、メモリ１１９に記憶されたデータを呼び出すことにより、ＵＥの様々な機能とデータ処理を実行して、ＵＥ全体を監視する。プロセッサ１２０は、１つ以上の処理ユニットを含んでもよく、選択的には、プロセッサ１２０は、主にオペレーティングシステム、ユーザインタフェース及びアプリケーションプログラムなどを処理するアプリケーションプロセッサと、主に無線通信を処理するモデムプロセッサとを集積することができる。理解できるように、上記モデムプロセッサは、プロセッサ１２０に集積されなくてもよい。
【０１１２】
ＵＥ１１０は、各部品に給電する電源１２１（例えば、電池）をさらに含んでもよく、選択的には、電源１２１は、電源管理システムによりプロセッサ１２０と論理的に接続されて、電源管理システムにより充電、放電の管理及び消費電力の管理などの機能を実現することができる。
【０１１３】
また、ＵＥ１１０は、いくつかの未図示の機能モジュールを含み、ここでは説明を省略する。
【０１１４】
選択的には、本発明の実施例に係るＵＥは、図８に示すプロセッサ１２０と、メモリ１１９と、メモリ１１９上に記憶され上記プロセッサ１２０上で動作可能なコンピュータプログラムとを含み、該コンピュータプログラムはプロセッサ１２０によって実行されると、上記方法の実施例の各プロセスを実現し、かつ同じ技術的効果を達成することができる。重複を避けるため、ここでは説明を省略する。
【０１１５】
本発明の実施例に係るコンピュータ読み取り可能な記憶媒体は、図８に示すプロセッサ１２０によって実行されると、上記方法の実施例の各プロセスを実現し、かつ同じ技術的効果を達成することができるコンピュータプログラムが記憶されており、重複を避けるため、ここで説明を省略する。前記コンピュータ読み取り可能な記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどであってもよい。
【０１１６】
図９は、本発明の実施例に係るネットワーク側機器のハードウェアの概略図を示す。図９に示すとおり、ネットワーク側機器１４０は、プロセッサ１４１、トランシーバ１４２、メモリ１４３、ユーザインタフェース１４４及びバスインタフェースを含む。
【０１１７】
プロセッサ１４１は、ＵＥによるページングメッセージ検出の検出パラメータを指示する指示情報をＵＥへ送信することができ、該検出パラメータは、ＵＥによるページングメッセージ検出の検出方式を決定するために用いられる。
【０１１８】
本発明の実施例に係るネットワーク側機器は、ＵＥによるページングメッセージ検出の検出パラメータを指示する指示情報をＵＥへ送信することができ、該検出パラメータは、ＵＥによるページングメッセージ検出の検出方式を決定するために用いられる。ＵＥは、ページングメッセージ検出又はページングメッセージ検出方式の決定を周期的に行う必要がなく、ネットワーク側機器から送信された指示情報によって指示される、ＵＥによるページングメッセージ検出の検出パラメータに基づいて、ＵＥによるページングメッセージ検出の検出方式を決定することができるため、ＵＥによるページングメッセージ検出の検出回数を減らし、ページングメッセージ検出の検出方式を最適化し、ＵＥによるページングメッセージ検出の際の消費電力を低減することができる。
【０１１９】
なお、プロセッサ１４１は、バスアーキテクチャ及び一般的処理の管理を担当することができ、プロセッサ１４１は、メモリ１４３のプログラムを読み出して実行することにより処理機能及びネットワーク側機器１４０に対する制御を実現することができる。メモリ１４３は、プロセッサ１４１が操作を実行するときに使用するデータを記憶することができる。プロセッサ１４１とメモリ１４３は、一体に集積されてもよく、独立して設けられてもよい。
【０１２０】
本発明の実施例では、ネットワーク側機器１４０は、メモリ１４３に記憶されプロセッサ１４１上で動作可能なコンピュータプログラムをさらに含み、該コンピュータプログラムは、プロセッサ１４１により実行されると本発明の実施例に係る方法のステップを実現する。
【０１２１】
図９において、バスアーキテクチャは、任意の数の相互接続されたバス及びブリッジを含んでもよく、具体的には、プロセッサ１４１をはじめとする１つ以上のプロセッサと、メモリ１４３をはじめとするメモリとの様々な回路によって接続される。バスアーキテクチャは、さらに、周辺装置、スタビライザ及びパワー管理回路などの様々なその他の回路を一体に接続してもよく、これらはいずれも本分野において既知のことであるため、本発明の実施例ではさらに説明しない。バスインタフェースは、インタフェースを提供する。トランシーバ１４２は、複数の素子であってもよく、即ち、送信機及び受信機を含み、伝送媒体で様々なその他の装置と通信するユニットを提供する。異なるＵＥに応じて、ユーザインタフェース１４４は、必要な装置を外接及び内接できるインタフェースであってもよく、接続される機器は、キーパッド、ディスプレイ、スピーカ、マイクロホン、ジョイスティックなどを含むが、これらに限定されない。
【０１２２】
なお、本明細書において、用語「含む」、「包含」及びそれらのいかなる変形は、非排他的な包含をカバーすることを意図し、一連の要素を含むプロセス、方法、製品又は装置は、それらの要素を含むだけでなく、明確に例示されていない他の要素をさらに含むか、又はこれらのプロセス、方法、製品又は装置に固有の要素をさらに含む。より多くの限定がない場合に、語句「…を１つ含む」により限定された要素は、該要素を含むプロセス、方法、製品又は装置に別の同一の要素がさらに存在することを排除するものではない。
【０１２３】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本願の技術手段は、本質的又は従来技術に寄与する部分がソフトウェア製品の形態で具現化されてもよく、該コンピュータソフトウェア製品は、記憶媒体（例えば、ＲＯＭ／ＲＡＭ、磁気ディスク、光ディスク）に記憶されており、１台の端末（携帯電話、コンピュータ、サーバ、エアコン又はネットワーク機器などであってもよい）に本願の各実施例に記載の方法を実行させるための複数の命令を含む。
【０１２４】
以上、図面を参照しながら本願の実施例を説明したが、本願は、上記具体的な実施形態に限定されるものではなく、上記具体的な実施形態は、制限的なものではなく、例示的なものに過ぎず、当業者であれば、本願の示唆で、本願の趣旨及び特許請求の範囲の保護範囲から逸脱せずに多くの形式を行うことができ、これらはいずれも本願の保護範囲内に属する。
【図１】
2021530914.tif 000003
【図２】
2021530914.tif 000004
【図３】
2021530914.tif 000005
【図４】
2021530914.tif 000006
【図５】
2021530914.tif 000007
【図６】
2021530914.tif 000008
【図７】
2021530914.tif 000009
【図８】
2021530914.tif 000010
【図９】
2021530914.tif 000011
【手続補正書】
【提出日】令和3年3月3日(2021.3.3)
【手続補正１】
【補正対象書類名】明細書
【補正対象項目名】００４５
【補正方法】変更
【補正の内容】
【００４５】
選択的には、本発明の実施例では、上記制御チャネル送信パラメータは、ネットワーク側機器がページングメッセージを送信する制御チャネルのアグリゲーションレベルであるアグリゲーションレベルと、ネットワーク側機器が制御チャネルを送信する先頭の制御チャネルエレメントの番号である物理リソース情報と、のうちの少なくとも１つを含んでもよく、該制御チャネルエレメントは、ネットワーク側機器がページングメッセージを送信する制御チャネル中の制御チャネルエレメントである。
【手続補正２】
【補正対象書類名】明細書
【補正対象項目名】００４６
【補正方法】変更
【補正の内容】
【００４６】
選択的には、本発明の実施例では、上記制御チャネル検出パラメータは、ＵＥが受信するネットワーク側機器からページングメッセージを送信する制御チャネルのアグリゲーションレベルであるアグリゲーションレベルと、ＵＥが制御チャネルを検出する先頭の制御チャネルエレメントの番号である物理リソース情報と、のうちの少なくとも１つを含んでもよく、該制御チャネルエレメントは、ＵＥがページングメッセージを検出する制御チャネル中の制御チャネルエレメントである。
【手続補正３】
【補正対象書類名】特許請求の範囲
【補正対象項目名】全文
【補正方法】変更
【補正の内容】
【特許請求の範囲】
【請求項１】
ＵＥ（Ｕｓｅｒ  Ｅｑｕｉｐｍｅｎｔ）に適用されるページング指示方法であって、
前記ＵＥによるページングメッセージ検出の検出パラメータを指示する指示情報をネットワーク側機器から受信することと、
前記検出パラメータに基づいて、前記検出方式を決定することとを含み、
前記検出パラメータは、前記ＵＥによるページングメッセージの検出の検出方式を決定するために用いられる、ページング指示方法。
【請求項２】
前記検出パラメータは、ページングオケージョンで前記ＵＥが前記ページングメッセージを検出するか否かを含み、前記ページングオケージョンは、前記ＵＥが前記指示情報を受信した後の少なくとも１つの検出周期である第１の検出周期内で前記ＵＥは前記ページングメッセージを検出する時刻である、請求項１に記載のページング指示方法。
【請求項３】
前記検出パラメータは、
前記ページングオケージョンでＰＤＳＣＨ（Ｐｈｙｓｉｃａｌ  Ｄｏｗｎｌｉｎｋ  Ｓｈａｒｅｄ  Ｃｈａｎｎｅｌ）を送信するか否か、前記ページングメッセージを送信するＰＤＳＣＨの時間領域リソーススケジューリング方式、基準信号活性化情報、システム情報又は警報情報の更新指示、前記ページングメッセージを送信するリソース、及び前記ページングメッセージの制御チャネル送信パラメータ、のうちの少なくとも１つをさらに含む、請求項２に記載のページング指示方法。
【請求項４】
前記ページングメッセージを送信する前記リソースは、前記ページングメッセージを送信するＢＷＰ（Ｂａｎｄｗｉｄｔｈ  Ｐａｒｔ）である、請求項３に記載のページング指示方法。
【請求項５】
前記制御チャネル送信パラメータは、前記ネットワーク側機器が前記ページングメッセージを送信する制御チャネルのアグリゲーションレベルであるアグリゲーションレベルと、前記ネットワーク側機器が制御チャネルを送信する先頭の制御チャネルエレメントの番号である物理リソース情報と、のうちの少なくとも１つを含み、前記制御チャネルエレメントは、前記ネットワーク側機器が前記ページングメッセージを送信する制御チャネル中の制御チャネルエレメントである、請求項３に記載のページング指示方法。
【請求項６】
前記ページングメッセージを送信する前記ＰＤＳＣＨの時間領域リソーススケジューリング方式は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を送信した後にＰＤＳＣＨを送信すること、及びＰＤＣＣＨの送信完了時刻である第１の時刻とＰＤＣＣＨによって指示されるＰＤＳＣＨの送信開始時刻である第２の時刻との時間間隔が第１の閾値より大きいか否かということである、請求項３に記載のページング指示方法。
【請求項７】
前記ＵＥが前記指示情報を受信する時刻である第３の時刻と前記ページングオケージョンとの間の時間間隔は、通信プロトコルにおいて予め定義されたものか、或いは前記ネットワーク側機器によって前記ＵＥに対して設定されたものである、請求項２〜６のいずれか１項に記載のページング指示方法。
【請求項８】
ネットワーク側機器に適用されるページング指示方法であって、
ＵＥによるページングメッセージ検出の検出パラメータを指示する指示情報を前記ＵＥへ送信することを含み、
前記検出パラメータは、前記ＵＥによるページングメッセージの検出の検出方式を決定するために用いられる、ページング指示方法。
【請求項９】
前記検出パラメータは、ページングオケージョンで前記ＵＥが前記ページングメッセージを検出するか否かを含み、前記ページングオケージョンは、前記ＵＥが前記指示情報を受信した後の少なくとも１つの検出周期である第１の検出周期内で前記ＵＥは前記ページングメッセージを検出する時刻である、請求項８に記載のページング指示方法。
【請求項１０】
前記検出パラメータは、
前記ページングオケージョンでＰＤＳＣＨを送信するか否か、前記ページングメッセージを送信するＰＤＳＣＨの時間領域リソーススケジューリング方式、基準信号活性化情報、システム情報又は警報情報の更新指示、前記ページングメッセージを送信するリソース、及び前記ページングメッセージの制御チャネル送信パラメータ、のうちの少なくとも１つをさらに含む、請求項９に記載のページング指示方法。
【請求項１１】
前記ページングメッセージを送信する前記リソースは、前記ページングメッセージを送信するＢＷＰである、請求項１０に記載のページング指示方法。
【請求項１２】
前記制御チャネル送信パラメータは、前記ネットワーク側機器が前記ページングメッセージを送信する制御チャネルのアグリゲーションレベルであるアグリゲーションレベルと、前記ネットワーク側機器が制御チャネルを送信する先頭の制御チャネルエレメントの番号である物理リソース情報と、のうちの少なくとも１つを含み、前記制御チャネルエレメントは、前記ネットワーク側機器が前記ページングメッセージを送信する制御チャネル中の制御チャネルエレメントである、請求項１０に記載のページング指示方法。
【請求項１３】
前記ネットワーク側機器が前記ページングメッセージを送信するＰＤＳＣＨの時間領域リソーススケジューリング方式は、ＰＤＣＣＨを送信した後にＰＤＳＣＨを送信すること、及びＰＤＣＣＨの送信完了時刻である第１の時刻とＰＤＣＣＨによって指示されるＰＤＳＣＨの送信開始時刻である第２の時刻との時間間隔が第１の閾値より大きいか否かということである、請求項１０に記載のページング指示方法。
【請求項１４】
ＵＥであって、
前記ＵＥによるページングメッセージ検出の検出パラメータを指示する指示情報をネットワーク側機器から受信するための受信ユニットと、
前記検出パラメータに基づいて、前記検出方式を決定するための決定ユニットとを含み、
前記検出パラメータは、前記ＵＥによるページングメッセージ検出の検出方式を決定するために用いられる、ＵＥ。
【請求項１５】
ＵＥによるページングメッセージ検出の検出パラメータを指示する指示情報を前記ＵＥへ送信するための送信ユニットを含み、前記検出パラメータは、前記ＵＥによるページングメッセージ検出の検出方式を決定するために用いられる、ネットワーク側機器。
【国際調査報告】
2021530914.tif 000012
2021530914.tif 000013
2021530914.tif 000014
2021530914.tif 000015
2021530914.tif 000016